(57)【要約】【課題】  煙突などからの排気ガスの処理に好適で、かつ厳寒な時期でも有効な構成を有する排気ガス用クリーナを提供しようとするものである。【解決手段】  クリーナ本体２、吸引用円筒部３、水槽４、往きパイプ部５及び還りパイプ６から構成されているものにおいて、クリーナ本体２のケースにおける吸引口２Ａ３１に吸引用円筒部３を連結し、水槽４をクリーナ本体２とは離れた所望する箇所に設置するよう構成すると共に、当該水槽を保温するよう構成されている。【選択図】        図１
0003105470.tif 000002
【実用新案登録請求の範囲】
【請求項１】
煙突の上端に取付けられ、当該煙突からの排煙をフィルターで処理し、このフィルターで捕捉された塵芥を散水により水洗式で除塵するよう構成されたクリーナ本体と、このクリーナ本体と離れた箇所に設置された水槽とを、往きパイプと水中ポンプを有する往きパイプ部で連結し、水槽の外周は断熱処理され、かつ水槽内にはヒーターが配設されていることを特徴とする煙突などに好適な排気ガス用クリーナ。
【請求項２】
クリーナ本体（２）と、吸引用円筒部（３）と、水槽（４）と、往きパイプ部（５）と、還りパイプ（６）から構成され、
クリーナ本体（２）は、ケース（２Ａ）と、フィルター（２Ｂ）と、散水パイプ（２Ｃ）と、吸引用ファン（２Ｄ）から構成され、
ケース（２Ａ）は、平面左右に横長の底板（２Ａ１）と、この底板の前後左右辺に起立連設された前後板（２Ａ２、２Ａ３）と、左右板（２Ａ４、２Ａ４）と、これらの上面に張設された天板（２Ａ５）から構成され、後板（２Ａ３）には吸引口（２Ａ３１）が開口され、前板（２Ａ２）には排気口（２Ａ２１）が開口され、また、ケース（２Ａ）の天板（２Ａ５）には左右に横長の開口部（２Ａ５１）を設け、この開口部に取付け取外し自在の横長蓋（２Ａ６）が連結され、
フィルター（２Ｂ）は、適数枚のフィルター単体（２Ｂ１）から構成され、フィルター単体（２Ｂ１）は、排気ガス濾過に適した正面方形の金網を素材として正面方形に構成され、フィルター単体（２Ｂ１）の上辺は、ケース（２Ａ）の横長蓋（２Ａ６）の下面に左右方向をもって吊下げた状態で連結され、下辺はケース（２Ａ）の底板（２Ａ１）の近傍に位置するよう構成され、
散水パイプ（２Ｃ）は、給水パイプ（２Ｃ１）とノズル（２Ｃ２）から構成され、給水パイプは、ケース（２Ａ）内の上方中央位置に左右方向をもって配管され、この給水パイプの左方端は密閉され、右方端（２Ｃ１１）は吸水口としてケース（２Ａ）より外方に引き出され、ノズル（２Ｃ２）は、給水パイプ（２Ｃ１）に所定間隔をもって配設されていると共に、フィルター（２Ｂ）の背面側に上方からじょうろ状に散水し水洗式で除塵するよう構成され、
吸引用ファン（２Ｄ）は、取付け枠（２Ｄ１）と、ファン（２Ｄ２）と、前方蓋（２Ｄ３）から構成され、取付け枠（２Ｄ１）は、ケース（２Ａ）の排気口（２Ａ２１）の周囲に段状のくぼみとして構成され、ファン（２Ｄ２）は常時外方に向け作用するよう取付け枠（２Ｄ１）内に取付けられ、前方蓋（２Ｄ３）は、ケースの前板（２Ａ２）との間に排気用間隔（Ｄ）を存する状態で取付けられ、さらに、前方蓋（２Ｄ３）の下部には排水パイプ（２Ｄ４）が連結され、排水パイプの下端はケース（２Ａ）の底板（２Ａ１）の上面に開口され、
吸引用円筒部（３）は、垂直円筒（３Ａ）の先端にケース（２Ａ）の吸引口（２Ａ３１）が直接連結されていると共に、下端には煙突の上端に嵌着するソケット（３Ｂ）が形成され、
水槽（４）は、平面左右に横長の底板（４Ａ）と、底板の前後左右辺に起立連設された前後板（４Ｂ、４Ｂ）と、左右板（４Ｃ、４Ｃ）から構成されており、ケース（２Ａ）とは離れた箇所に設置されていると共に、外周は断熱処理され、かつヒーター（４Ｅ）が配設され、
往きパイプ部（５）は、往きパイプ（５Ａ）と水中ポンプ（５Ｂ）から構成され、往きパイプ（５Ａ）は、上端を給水パイプ（２Ｃ１）の右方端（２Ｃ１１）に連結し、下端を水槽（４）内に配置された水中ポンプ（５Ｂ）に連結して構成され、
還りパイプ（６）は、上端をクリーナ本体（２）の下部に連結し、下端を水槽（４）内に開口して構成されていることを特徴とする煙突などに好適な排気ガス用クリーナ。
【考案の詳細な説明】
【技術分野】
【０００１】
本考案は、厳寒な時期でも有効な新規な構成を有する煙突などに好適な排気ガス用クリーナに関するものである。
【背景技術】
【０００２】
従来、この種のものにあっては、下記のようなものになっている。
自動車が頻繁に走行する道路や渋滞する箇所においては、排気ガスが吹出し、これが粉塵などと共に公害の原因となるが、それ以外でも、例えば焼却炉の排煙からも有毒ガス、粉塵などが排出され、社会問題化していることは広く知られているところである。
かかる問題を解決するものとして、本出願人は先に実用新案登録第３０９５７７９号を提案した。（特許文献１）
【特許文献１】実用新案登録第３０９５７７９号公報
【考案の開示】
【考案が解決しようとする課題】
【０００３】
従来の技術で述べたものにあっては、下記のような問題点を有していた。
すなわち、特許文献１のものは、自動車以外の排気ガスの処理には適しているが、厳寒な地方での凍結問題に十分対処できないと云わざるを得ない。
【０００４】
本考案は、従来の技術の有するこのような問題点に鑑みなされたものであり、その目的とするところは、上述の問題を解決するため、排気ガスなどを濾過する状態で除去しようとするものである。
【課題を解決するための手段】
【０００５】
上記目的を達成するために、本考案のものは下記のようになるものである。
請求項１記載の考案は、煙突の上端に取付けられ、当該煙突からの排煙をフィルターで処理し、このフィルターで捕捉された塵芥を散水により水洗式で除塵するよう構成されたクリーナ本体と、このクリーナ本体と離れた箇所に設置された水槽とを、往きパイプと水中ポンプを有する往きパイプ部で連結し、水槽の外周は断熱処理され、かつ水槽内にはヒーターが配設されていることを特徴とするものである。
【０００６】
請求項２記載の考案は、クリーナ本体２と、吸引用円筒部３と、水槽４と、往きパイプ部５と、還りパイプ６から構成され、
クリーナ本体２は、ケース２Ａと、フィルター２Ｂと、散水パイプ２Ｃと、吸引用ファン２Ｄから構成され、
ケース２Ａは、平面左右に横長の底板２Ａ１と、この底板の前後左右辺に起立連設された前後板２Ａ２、２Ａ３と、左右板２Ａ４、２Ａ４と、これらの上面に張設された天板２Ａ５から構成され、後板２Ａ３には吸引口２Ａ３１が開口され、前板２Ａ２には排気口２Ａ２１が開口され、また、ケース２Ａの天板２Ａ５には左右に横長の開口部２Ａ５１を設け、この開口部に取付け取外し自在の横長蓋２Ａ６が連結され、
フィルター２Ｂは、適数枚のフィルター単体２Ｂ１から構成され、フィルター単体２Ｂ１は、排気ガス濾過に適した正面方形の金網を素材として正面方形に構成され、フィルター単体２Ｂ１の上辺は、ケース２Ａの横長蓋２Ａ６の下面に左右方向をもって吊下げた状態で連結され、下辺はケース２Ａの底板２Ａ１の近傍に位置するよう構成され、
散水パイプ２Ｃは、給水パイプ２Ｃ１とノズル２Ｃ２から構成され、給水パイプは、ケース２Ａ内の上方中央位置に左右方向をもって配管され、この給水パイプの左方端は密閉され、右方端２Ｃ１１は吸水口としてケース２Ａより外方に引き出され、ノズル２Ｃ２は、給水パイプ２Ｃ１に所定間隔をもって配設されていると共に、フィルター２Ｂの背面側に上方からじょうろ状に散水し水洗式で除塵するよう構成され、
吸引用ファン２Ｄは、取付け枠２Ｄ１と、ファン２Ｄ２と、前方蓋２Ｄ３から構成され、取付け枠２Ｄ１は、ケース２Ａの排気口２Ａ２１の周囲に段状のくぼみとして構成され、ファン２Ｄ２は常時外方に向け作用するよう取付け枠２Ｄ１内に取付けられ、前方蓋２Ｄ３は、ケースの前板２Ａ２との間に排気用間隔Ｄを存する状態で取付けられ、さらに、前方蓋２Ｄ３の下部には排水パイプ２Ｄ４が連結され、排水パイプの下端はケース２Ａの底板２Ａ１の上面に開口され、
吸引用円筒部３は、垂直円筒３Ａの先端にケース２Ａの吸引口２Ａ３１が直接連結されていると共に、下端には煙突の上端に嵌着するソケット３Ｂが形成され、
水槽４は、平面左右に横長の底板４Ａと、底板の前後左右辺に起立連設された前後板４Ｂ、４Ｂと、左右板４Ｃ、４Ｃから構成されており、ケース２Ａとは離れた箇所に設置されていると共に、外周は断熱処理され、かつヒーター４Ｅが配設され、
往きパイプ部５は、往きパイプ５Ａと水中ポンプ５Ｂから構成され、往きパイプ５Ａは、上端を給水パイプ２Ｃ１の右方端２Ｃ１１に連結し、下端を水槽４内に配置された水中ポンプ５Ｂに連結して構成され、
還りパイプ６は、上端をクリーナ本体２の下部に連結し、下端を水槽４内に開口して構成されていることを特徴とするものである。
【考案の効果】
【０００７】
本考案は、上述の通り構成されているので次に記載する効果を奏する。
Ａ．集塵作用について
ａ．排気ガスは吸引用ファンによって吸引口から吸引され、強制的にフィルターを通過することになるので濾過され集塵される。
この場合、フィルターは散水パイプのノズルにより、じょうろのように水で常時洗浄するので、通過する排気ガスを清浄な状態にすることができる。
ｂ．水で洗い落とされた粉塵は、散水された水と一緒に還りパイプにより水槽に落下収容される。
そして、水槽内の水は、水中ポンプから往きパイプを通って給水パイプに供給され、さらにノズルによりフィルターに散水されることになる。
【０００８】
Ｂ．吸引用円筒部３は、垂直円筒３Ａの先端にケース２Ａの吸引口２Ａ３１を直接連結した状態に構成したから、煙突内を上昇する排煙をスムーズにクリーナ本体内に誘導することができる。
Ｃ．冬期間でも断熱処理された水槽４内のヒーターを作動させることによって、当該水槽内の水の凍結を防止することができるから、水の循環を円滑に行い確実な集塵作用を行うことができる。
Ｄ．さらに、安価に製造できる、部品点数が少ないので組立が容易である、経済的である、などの効果をも有するものである。 
【考案を実施するための最良の形態】
【０００９】
実施の形態について図面を参照して説明する。
１は本考案の煙突などに好適な排気ガス用クリーナで、クリーナ本体２と、吸引用円筒部３と、水槽４と、往きパイプ部５と、還りパイプ６から構成されている。
【００１０】
Ａ．クリーナ本体２は、ケース２Ａと、フィルター２Ｂと、散水パイプ２Ｃと、吸引用ファン２Ｄから構成されている。
ａ．ケース２Ａは、平面左右に横長の底板２Ａ１と、この底板の前後左右辺に起立連設された前後板２Ａ２、２Ａ３と、左右板２Ａ４、２Ａ４と、これらの上面に張設された天板２Ａ５から構成され、後板２Ａ３には吸引口２Ａ３１が開口され、前板２Ａ２には排気口２Ａ２１が開口されている。
また、ケース２Ａの天板２Ａ５には左右に横長の開口部２Ａ５１を設け、この開口部に取付け取外し自在の横長蓋２Ａ６が連結されている。２Ａ６１は横長蓋の天板２Ａ５への取付ネジである。
さらに、前後板を点検時に開口できるよう取付け取外し自在に構成することができる。
【００１１】
ｂ．フィルター２Ｂは、適数枚のフィルター単体２Ｂ１から構成され、フィルター単体２Ｂ１は、排気ガス濾過に適した正面方形の金網を素材として正面方形に構成され、このフィルター単体２Ｂ１の上辺は、ケース２Ａの横長蓋２Ａ６の下面に左右方向をもって吊下げた状態で連結され、下辺はケース２Ａの底板２Ａ１の近傍に位置するよう構成されている。
この結果、フィルター２Ｂを横長蓋２Ａ６と一緒に取外すことで、当該フィルターを適宜掃除することができる。
この場合、金網の網目の寸法は３ｍｍ程度である。
そして、金網を使用したのは、処理される排気が熱を有しているからである。
【００１２】
ｃ．散水パイプ２Ｃは、給水パイプ２Ｃ１とノズル２Ｃ２から構成され、給水パイプは、ケース２Ａ内の上方中央位置に左右方向をもって配管され、この給水パイプの左方端は密閉され、右方端２Ｃ１１は吸水口としてケース２Ａより外方に引き出されている。
ノズル２Ｃ２は、給水パイプ２Ｃ１に所定間隔をもって配設されていると共に、フィルター２Ｂの背面側に上方からじょうろ状に散水し水洗式で除塵するよう構成されている。
【００１３】
ｄ．吸引用ファン２Ｄは、取付け枠２Ｄ１と、ファン２Ｄ２と、前方蓋２Ｄ３から構成され、取付け枠２Ｄ１は、ケース２Ａの排気口２Ａ２１の周囲に段状のくぼみとして構成され、ファン２Ｄ２は常時外方に向け作用するよう取付け枠２Ｄ１内に取付けられ、前方蓋２Ｄ３はケースの前板２Ａ２との間に排気用間隔Ｄを存する状態で取付けられている。
さらに、この前方蓋２Ｄ３の下部には排水パイプ２Ｄ４が連結され、排水パイプの下端はケース２Ａの底板２Ａ１の上面に開口されている。
この結果、取付け枠２Ｄ１の内部に溜った水を水槽に戻すことができる。
【００１４】
Ｂ．吸引用円筒部３は、垂直円筒３Ａで構成され、先端はケース２Ａの吸引口２Ａ３１に直接連結され、また、下端には煙突の上端に嵌着するソケット３Ｂが形成されている。
【００１５】
Ｃ．水槽４は、平面左右に横長の底板４Ａと、底板の前後左右辺に起立連設された前後板４Ｂ、４Ｂと、左右板４Ｃ、４Ｃから構成されていると共に、ケース２Ａとは離れた箇所に設置されている。
そして、この水槽４の外周面は断熱材４Ｄで断熱処理され、かつ水槽内の水を加熱するヒーター４Ｅが設けられている。
【００１６】
Ｄ．往きパイプ部５は、往きパイプ５Ａと水中ポンプ５Ｂから構成され、往きパイプ５Ａは、上端を給水パイプ２Ｃ１の右方端２Ｃ１１に連結し、下端を水槽４内に配置された水中ポンプ５Ｂに連結して構成されている。
この水中ポンプは常時作動するよう構成されている。
【００１７】
Ｅ．還りパイプ６は、上端をクリーナ本体２の下部に連結し、下端を水槽４内に開口して構成されている。
【００１８】
７は煙突７Ａを有する公知の焼却炉装置や暖房装置、火力発電装置で、この煙突の上端に吸引用円筒部３がソケット３Ｂを用いて連結されている。水槽４は所望する箇所に設置する。
【図面の簡単な説明】
【００１９】
【図１】使用状態の右側面図である。
【図２】同上の１部を切欠いた要部拡大図である。
【図３】クリーナ本体の１部を切欠いた背面方向から見た斜視図である。
【図４】１部を切欠いた要部の正面図である。
【符号の説明】
【００２０】
１  煙突などに好適な排気ガス用クリーナ
２  クリーナ本体
３  吸引用円筒部
４  水槽
５  往きパイプ部
６  還りパイプ
【図１】
0003105470.tif 000003
【図２】
0003105470.tif 000004
【図３】
0003105470.tif 000005
【図４】
0003105470.tif 000006